(57)【要約】【課題】トラフィック低減策の仕様決定とそれを実現するためのアプリケーションプログラム開発をすることなく汎用の技術で容易にトラフィック低減できるようにする。【解決手段】ＯＮ／ＯＦＦ信号及びアナログ信号をメモリ３に格納し、前記メモリ３に格納されたデータ内容を１枚の画像に見立てた画像データとし、複数毎の前記画像データを動画圧縮処理部４で動画圧縮処理し、この動画圧縮処理されたデータを遠方の上位局７に送信することを特徴とする信号伝送方式である。【選択図】図１
2012186753.tif 000002
【特許請求の範囲】
【請求項１】
ＯＮ／ＯＦＦ信号及びアナログ信号をメモリに格納し、前記メモリに格納されたデータ内容を１枚の画像に見立てた画像データとし、複数毎の前記画像データを動画圧縮処理部で動画圧縮処理し、この動画圧縮処理されたデータを遠方の上位局に送信することを特徴とする信号伝送方式。
【請求項２】
請求項１に記載の伝送方式において、前記動画圧縮処理されたデータをＩＰネットワークを経由して前記上位局に送信することを特徴とする信号伝送方式。
【請求項３】
請求項１に記載の伝送方式において、前記動画圧縮処理されたデータをアナログ回線を経由して前記上位局に送信することを特徴とする信号伝送方式。
【請求項４】
ＯＮ／ＯＦＦ信号及びアナログ信号をメモリに格納し、前記メモリに格納されたデータ内容を１枚の静止画像に見立てた画像データとし、前記画像データを画像圧縮処理部で圧縮処理し、この圧縮処理されたデータを遠方の上位局に送信することを特徴とする信号伝送方式。
【請求項５】
ＯＮ／ＯＦＦ信号及びアナログ信号をメモリに格納し、前記メモリに格納されたデータ内容をデータ圧縮処理部により一定周期でデータ圧縮処理を行ってバッファメモリに蓄積し、このバッファメモリの内容を上位局へ送信することを特徴とする信号伝送方式。
【発明の詳細な説明】
【技術分野】
【０００１】
この発明は遠隔監視制御装置等に適用される信号伝送方式に関するものである。
【背景技術】
【０００２】
IP伝送方式を使用した遠隔監視制御装置において、IPネットワークのトラフィックを低減させるため、従来の装置は対向装置間で様々なトラフィック低減策を決めており、統一されたものは無い。
【先行技術文献】
【特許文献】
【０００３】
【特許文献１】特開２００６−１３５５３８号公報（図１〜１０及びその説明）
【発明の概要】
【発明が解決しようとする課題】
【０００４】
IP伝送方式を使用した遠隔監視制御装置において、IPネットワークのトラフィックを低減させるため、従来の装置は対向装置間で様々なトラフィック低減策を決めており、統一されたものは無く、トラフィック低減策の仕様決定とそれを実現するためのアプリケーションプログラム開発に多大の時間とコストがかかっていた。
【０００５】
この発明は、前述のような実情に鑑みてなされたもので、トラフィック低減策の仕様決定とそれを実現するためのアプリケーションプログラム開発をすることなく汎用の技術で容易にトラフィック低減できるようにすることを目的とするものである。
【課題を解決するための手段】
【０００６】
この発明に係る信号伝送方式は、ＯＮ／ＯＦＦ信号及びアナログ信号をメモリに格納し、前記メモリに格納されたデータ内容を１枚の画像に見立てた画像データとし、複数毎の前記画像データを動画圧縮処理部で圧縮処理し、この圧縮処理されたデータを遠方の上位局に送信するものである。
【発明の効果】
【０００７】
この発明は、ＯＮ／ＯＦＦ信号及びアナログ信号をメモリに格納し、前記メモリに格納されたデータ内容を１枚の画像に見立てた画像データとし、複数毎の前記画像データを動画圧縮処理部で圧縮処理し、この圧縮処理されたデータを遠方の上位局に送信するので、遮断器、保護継電器等のＯＮ／ＯＦＦ信号であるデジタル変量、電圧値、電流値、等のアナログ変量であるアナログ信号を、発電所、変電所等の被監視制御場所等の信号発生場所から監視制御場所等である上位局への信号伝送方式であるにも拘わらず、トラフィック低減策の仕様決定とそれを実現するためのアプリケーションプログラム開発をすることなく、汎用の技術で容易にトラフィック低減できる効果がある。
【図面の簡単な説明】
【０００８】
【図１】この発明の実施の形態１を示す図で、信号伝送方式を実行するシステムの一例を示す全体図である。
【図２】この発明の実施の形態１を示す図で、（ａ）はデータの格納事例、（ｂ）は画像圧縮事例を示す。
【図３】この発明の実施の形態１を示す図で、画像圧縮処理の動作フローを示す図である。
【図４】この発明の実施の形態２を示す図で、信号伝送方式を実行するシステムの他の例を示す全体図である。
【図５】この発明の実施の形態３を示す図で、信号伝送方式を実行するシステムの更に他の例を示す全体図である。
【図６】この発明の実施の形態４を示す図で、信号伝送方式を実行するシステムの更に他の例を示す全体図である。
【発明を実施するための形態】
【０００９】
実施の形態１．
この実施の形態１は、表示入力情報と計測入力情報をデジタル化してメモリに蓄えたカレントデータをＩＰネットワークを介して伝送するに当たり、カレントデータの１ビットを“１”を白、“０”を黒で表した１枚の画像に見立てた画像データとし、さらに定周期、例えば１秒周期でこの画像データを送るとすると、毎秒１フレームの動画とみなせるので、これを汎用の動画圧縮技術を用いてデータ圧縮してトラフィックを低減させることを特徴とするものである。
【００１０】
以下この発明の実施の形態１を電力系統の遠方視制御装置に適用した場合について図１〜図３により具体的に説明する。
図１に例示してあるように、信号伝送方式を実行するシステムは、例えば遮断器のＯＮ／ＯＦＦ状態の情報、保護継電器のＯＮ／ＯＦＦ状態の情報、等のデジタル変量であるＯＮ／ＯＦＦ信号（デジタル信号）を入力するＤＩ（デジタルインプット）１１〜１ｎと、例えば電圧値、電流値、等のアナログ変量であるアナログ信号を入力し当該アナログ信号をデジタル信号に変換するＡ／Ｄ変換部２１〜２ｎと、ＤＩ（デジタルインプット）１１〜１ｎの出力であるＯＮ／ＯＦＦ信号のデジタルカレントデータ及びＡ／Ｄ変換部２１〜２ｎの出力であるアナログ変量のデジタルカレントデータを格納するバッファメモリ等のカレントメモリ３と、カレントメモリ３に格納されたデジタルカレントデータを動画圧縮処理する動画圧縮処理部４とを有し、動画圧縮処理部４の出力である画像圧縮データ化されたＯＮ／ＯＦＦ信号のデジタルカレントデータ、アナログ変量のデジタルカレントデータは、ＬＡＮ（Local  Area  Network）−Ｉ／Ｆ（Interface）５からＩＰネットワーク
６を経由して電力会社等の上位局７へ伝送される。
【００１１】
デジタル変量であるＯＮ／ＯＦＦ信号、電圧値、電流値、等のアナログ変量であるアナログ信号は、例えば発電所、変電所等における検出信号である。
ＤＩ１１〜１ｎ、Ａ／Ｄ変換部２１〜２ｎ、カレントメモリ３、動画圧縮処理部４、ＬＡＮ−Ｉ／Ｆ５は、無人の発電所、変電所等に設置される。
【００１２】
以下、図２及び図３により、デジタル変量であるＯＮ／ＯＦＦ信号、電圧値、電流値、等のアナログ変量であるアナログ信号、等の動画圧縮処理について図３の動作フローに従って説明する。
【００１３】
例えば電力系統のスケルトン上に遮断器や保護継電器のＯＮ／ＯＦＦ状態を重ねて表示するＳＶ（Super Vision）用の入力（前記ＤＩ１１〜１ｎの出力）を、１ワード分読み込み（ステップＳＴ１）、カレントメモリ３における例えばアドレス１（図２（ａ）参照）に書き込み（ステップＳＴ２）、
次のステップＳＴ３において、ＳＶ用の入力の全ワード分を読み込み完了していなければ（Ｎｏの場合）ステップＳＴ１に戻り、全ワード分を読み込み完了すれば（Ｙｅｓ）次のステップＳＴ４に進む。
【００１４】
ステップＳＴ４では、ＴＭ（テレメータ）用の入力（前記Ａ／Ｄ変換部２１〜２ｎの出力）を、１ワード分読み込み、カレントメモリ３における例えばアドレスｍ（図２（ａ）参照）に書き込み（ステップＳＴ５）、
【００１５】
次のステップＳＴ６において、ＴＭ用の入力の全ワード分を読み込み完了していなければ（Ｎｏの場合）ステップＳＴ４に戻り、全ワード分を読み込み完了すれば（Ｙｅｓ）次のステップＳＴ７に進む。
【００１６】
ステップＳＴ７では、カレントメモリ３に格納されたデータを、動画データの１フレーム（図２（ｂ）参照）に変換する。
図２（ｂ）に例示のように、アドレス１から順に、アドレス２、・・・アドレスｎの全格納データが１フレームの画像データに変換される。画像データへの変換は、例えばデジタルデータの“１”は“黒色”、“０”は“白色”として変換される。
【００１７】
カレントメモリ３には、次の新たなカレントデータ、特にＴＭ用データ（電圧、電流などの変動周期が早いアナログ変量）は、次々に同じアドレスに異なる値のデータとして更新され、更新後の新たなデータは、新たな画像フレームに、更新前のフレームにおける位置と同じ位置に変換される。
なお、変動周期の長い或いは変動時期が一定でないＯＮ／ＯＦＦ信号（デジタル変量）は、内容更新されたカレントメモリ３においても更新前と同じ内容のデータとなることが多い。
このようにして、所定時間毎に作成された複数枚の画像フレームは、それぞれ一部のデータは更新され他のデータは変更されていないことから、これらの複数枚の画像フレームは動画として処理することが可能である。
【００１８】
従って、前記複数枚の画像フレームを動画圧縮処理し（ステップＳＴ８）、動画圧縮して得られた圧縮データは、ＬＡＮ−Ｉ／Ｆ５からＩＰネットワーク６を経由して上位局７に送信される（ステップＳＴ９）。
【００１９】
ステップＳＴ９での送信後、１サイクル程度の所定時間の時間待ちをし（ステップＳＴ１０）、所定時間経過しすれば（ステップＳＴ１１）、再び前述のステップＳＴ１〜ステップＳＴ９の処理を行い、以後、ステップＳＴ１〜ステップＳＴ１１の処理がサイクリックに行われる。
なお、動画圧縮には可逆圧縮のものもあることから、上位局７において、動画圧縮された圧縮データから、元のＯＮ／ＯＦＦ信号であるデジタル変量、電圧値、電流値、等のアナログ変量に変換することができ、上位局ではこれまでと同様の監視制御を行える。
【００２０】
従って、遮断器、保護継電器等のＯＮ／ＯＦＦ信号であるデジタル変量、電圧値、電流値、等のアナログ変量であるアナログ信号を、発電所、変電所等の被監視制御場所等から監視制御場所等である上位局への信号伝送方式であるにも拘わらず、トラフィック低減策の仕様決定とそれを実現するためのアプリケーションプログラム開発をすることなく、汎用の技術で容易にトラフィック低減できる信号伝送方式を実現できる。
【００２１】
実施の形態２．
図４はこの発明の実施の形態２を示す図で、信号伝送方式を実行するシステムの他の例を示す全体図である。
【００２２】
実施の形態２は、上位局７との通信メディアを、実施の形態１におけるＩＰネットワークからアナログ回線に変更し、動画圧縮処理部４の出力である動画圧縮された圧縮データを、回線Ｉ／Ｆ８からアナログ回線９を経由して上位局７に送信するものであり、汎用の技術（動画圧縮技術）により低速のアナログ回線を利用できる事例である。
【００２３】
実施の形態３．
図５はこの発明の実施の形態３を示す図で、信号伝送方式を実行するシステムの更に他の例を示す全体図である。
【００２４】
実施の形態３は、カレントメモリ３の格納データの内容を静止画と見立てて、画像圧縮処理部４１で画像圧縮処理を行い、一定周期でＬＡＮ−Ｉ/Ｆ５からＩＰネットワーク６
を経由して上位局７へ送信するものであり、汎用の技術（画像圧縮技術）によりＩＰネットワーク６でのトラフィック低減が出来る事例である。
【００２５】
実施の形態４．
【００２６】
図６はこの発明の実施の形態４を示す図で、信号伝送方式を実行するシステムの更に他の例を示す全体図である。
【００２７】
実施の形態４は、カレントメモリ３の内容をデータ圧縮処理部４２により一定周期でデータ圧縮処理を行ってバッファメモリ１０に蓄積し、このバッファメモリ１０の内容をＬＡＮ−Ｉ／Ｆ５からＩＰネットワーク６を経由して上位局７へ送信するものであり、汎用の技術（データ圧縮技術）によりＩＰネットワーク６でのトラフィック低減が出来る事例である。
【００２８】
なお、図１〜図６の各図中、同一符合は同一または相当部分を示す。
【符号の説明】
【００２９】
１１〜１ｎ    ＤＩ（デジタルインプット）、
２１〜２ｎ    Ａ／Ｄ変換部、
３    カレントメモリ、
４    動画圧縮処理部、
４１    画像圧縮処理部、
４２    データ圧縮処理部、
５    ＬＡＮ−Ｉ／Ｆ、
６    ＩＰネットワーク、
７    上位局、
８    回線Ｉ／Ｆ、
９    アナログ回線、
１０    バッファメモリ。
【図１】
2012186753.tif 000003
【図２】
2012186753.tif 000004
【図３】
2012186753.tif 000005
【図４】
2012186753.tif 000006
【図５】
2012186753.tif 000007
【図６】
2012186753.tif 000008